(57)【要約】【課題】  放送企業体が発信するコンテンツのメディア価値を高めるとともに、放送企業体を経営するために出資する投資家に対して高い収益を確保する。【解決手段】  投資家から出資を受け入れ、この資金により番組コンテンツを制作し、外部の事業体に対して当該番組への広告参加を募り、広告料金を受け取り、完成したこの番組を運営企業体の有料番組リストに登録し、運営企業体が全てのシステム会員に配信する基本番組に挿入して当該有料番組の内容案内と料金とをシステム会員に送り、運営企業体はシステム会員から受信申し込みがあれば、当該当該有料番組を各ステム会員の受信装置に送るとともに、当該システム会員の登録欄に料金情報を書き込む。運営企業体広告料金の合計と前記料金情報の合計とを合算して売上金額とし、この売上金額の一部を前記投資家の投資額に比例して各投資家に分配する。【選択図】  図１
2006012098.tif 000002
【特許請求の範囲】
【請求項１】
情報受信装置を持つシステム会員から運営企業体の全体制御部に大情報通信路を介して申し込まれた映像と音声のコンテンツ及び全てのシステム会員にサービスとして配信する基本番組とを、前記全体制御部がコンテンツデータベースから読み出して配信する双方向ブロードバンド通信システムにおいて、
前記運営企業体が複数の投資家から出資を受け入れ、この出資情報を基本データベースに記録し、この資金により番組コンテンツを制作し、外部の事業体に対して当該番組への広告参加を募り、広告料金を受け取り、この広告情報を前記基本データベースに記録し、完成したこの番組を運営企業体の有料番組リストに登録し、運営企業体は前記基本番組に挿入して当該有料番組の内容案内と料金とをシステム会員の受信装置に送り、その後運営企業体はシステム会員から受信申し込みがあれば、当該有料番組を各ステム会員の受信装置に送るとともに、前記基本データベースの当該システム会員の登録欄に料金情報を書き込み、一定期間後に前記全体制御部は前記基本データベースから前記広告料金の合計と前記料金情報中の合計金額とを合算して売上金額とし、この売上金額の一部を出資情報に基づき前記投資家の投資額に比例してそれぞれ分配し、これら一連の動作により番組放送を完了する番組サイクルを基準とし、新たに別の有料番組を企画して新たな番組サイクルを実行し、同様な番組サイクルを多数回繰り返すことで、将来制作される有料番組に対する資金的予測とコンテンツの人間的価値観の予測を可能とするブロードバンドにおけるコンテンツの評価運営システム。
【発明の詳細な説明】
【技術分野】
【０００１】  この発明は、ブロードバンドにおけるコンテンツの評価運営システムに関し、特に光ファイバー通信網の普及に伴うパソコンに不慣れな広範な一般消費者に向けた、ブロードバンドにおけるコンテンツの評価運営システムに関する。
【背景技術】
【０００２】  大容量の動画や音楽を高速に搬送可能な光ファイバー通信網の普及に伴い、既にパソコンによりインターネットを利用していた消費者がブロードバンドにおけるコンテンツを受信し享受している。
一方パソコンに不慣れな一般消費者の存在も、主婦や中高年層を中心に依然として広く放置されている。
次に、ブロードバンドにおけるコンテンツを制作・配信する運営企業は、従来の放送に関する法律に捕らわれない放送事業体であり、コンテンツの社会性・哲学性・政治性・価値観・芸術性について自由な発想が許容されるので、創造的な価値観が注入可能である。【０００３】  ブロードバンドにおけるコンテンツの放送事業体も経済的に利益を得る必要があり、社会性・哲学性・政治性・価値観・芸術性を追求しながら、広い範囲の消費者に受け入れられて利益を得るものとする。
従来ではブロードバンドにおけるコンテンツの制作は運営企業に無責任に任されているので、時により商業主義に走り、エログロナンセンス番組が発生し社会的に教育上に問題となる場合も少なくないものであった。
コンテンツの社会性・哲学性・政治性・価値観・芸術性に富んだ、高品質な番組を作成すると、往々に経営上では成功が少なくなり、運営企業が倒産してしまう恐れがあった。
【発明の開示】
【発明が解決しようとする課題】
【０００４】  広い範囲の消費者がブロードバンドにおけるコンテンツの制作・配信に参加できる道を開き、更に放送事業体に出資する投資家に利益が還元されるようなシステムを提供することを目的とする。
【課題を解決するための手段】
【０００５】  この発明は、上記問題を解決するためになされたもので、情報受信装置を持つシステム会員から運営企業体の全体制御部に大情報通信路を介して申し込まれた映像と音声のコンテンツ及び全てのシステム会員にサービスとして配信する基本番組とを、前記全体制御部がコンテンツデータベースから読み出して配信する双方向ブロードバンド通信システムに利用する。運営企業体が複数の投資家から出資を受け入れ、この出資情報を基本データベースに記録する。この資金により番組コンテンツを制作し、外部の事業体に対して当該番組への広告参加を募り、広告料金を受け取る。この広告情報を前記基本データベースに記録し、完成したこの番組を運営企業体の有料番組リストに登録する。
運営企業体は前記基本番組に挿入して当該有料番組の内容案内と料金とをシステム会員の受信装置に送る。その後運営企業体はシステム会員から受信申し込みがあれば、当該有料番組を各ステム会員の受信装置に送るとともに、前記基本データベースの当該システム会員の登録欄に料金情報を書き込む。一定期間後に前記全体制御部は前記基本データベースから前記広告料金の合計と前記料金情報中の合計金額とを合算して売上金額とし、この売上金額の一部を出資情報に基づき前記投資家の投資額に比例してそれぞれ分配する。
これら一連の動作により番組放送を完了する番組サイクルを基準とし、新たに別の有料番組を企画して新たな番組サイクルを実行する。同様な番組サイクルを多数回繰り返すことで、将来制作される有料番組に対する資金的予測とコンテンツの人間的価値観の予測を可能とする。
【発明の効果】
【０００６】  パソコンに不慣れな広範な一般消費者に、大画面薄型化した家庭用テレビに接続するだけで放送企業体が発信するブロードバンドのコンテンツを間単に受信して享受できる。
放送企業体が発信するコンテンツのメディア価値を高めるとともに、放送企業体を経営するために出資する投資家に対して高い収益を確保し、放送内容が日々社会的に吟味され洗練されて高品質性のコンテンツ配信を達成できる。
【発明を実施するための最良の形態】
【０００７】  また家庭用テレビは、大型画面多機能化して便利になっている、大型液晶画面、プラズマディスプレイ、省電力、薄型化など日々進化している。
この発明の目的は、まず、主婦や中高年層のパソコンに不慣れな一般消費者に、大型画面多機能化した使い勝手な家庭用テレビを、光ファイバー通信網に接続して、ブロードバンドのコンテンツを享受してもらうことである。
【実施例１】
【０００８】  以下、添付図面を参照して本発明の実施形態について説明する。
図２に本発明が実施される、装置の基本的な概略構成を示す。
このシステムの運営企業では、全体制御部５０とこれに接続される基本データベース５６とコンテンツデータベース６０とインターネットコンテンツデ６４と電子メールデータベース６５とを備え、全体制御部５０は広域に渡り埋設された通信路の光ファイバー５１に接続されている。
全体制御部５０は電子計算機により構成され、通信路の光ファイバー５１へのデータを送受信する通信プログラムを備えている。【０００９】  基本データベース５６は会員データベース７０と投資家データベース７１とその他データベース７２とから構成され、会員データベース７０にはこのシステムに参加する会員の属性である住所、氏名、電話番号、年齢、取引金融口座名と番号、利用経歴欄、使用料金欄とが設けられている。
投資家データベース７１には会員データベース７０の内容に追加して投資金額欄、利益配当欄、意見受け付け欄とが設けられている。【００１０】  コンテンツデーターベース６０は、動画ソフトの各種映画や映像一体型の音楽やカラオケソフト等のサービス用ソフト６１とゲームソフト６２とテレビ会議ソフト６３とから構成される。
インターネットコンテンツデ６４にはホームページ内容や作成助成ソフトや見本ソフトや雛型ソフトや各種テンプレートなどが含まれている。
電子メールデータベース６５には電子アンケートの案文や回答や会員からの要請、意見、苦情、賞賛のメールが、これらを分類するプログラムとともに保管している。【００１１】  通信路の光ファイバー５１は幹線部から無数に枝分かれして、広い地位に渡り無数の家庭にまで張り巡らされており、図２では多くは省略して１個所の家屋、事務所の例を表示している。
光ファイバー５１にはＡＤＳＬモデム５２を介して信号整合用の調整制御部５３が接続され、この調整制御部５３は箱状のもので、テレビモニター５４に映像を左右のスピーカ５７に音声をそれぞれ出力する。また調整制御部５３にはテンキーのような少数で簡単な入力キーが設けられている。
調整制御部５３には各種のアンテナが接続され、選局部や映像再生部、音声再生部を内蔵し、地上波テレビや通常のテレビ波や衛星テレビ波を受信可能である。
ＡＤＳＬモデム５２と調整制御部５３の間には信号分配用のハブ５８が設けられ、パソコン５５等も接続可能である。【００１２】  次にこのシステムの機能的構成を図１に従って説明する。
このシステムの運営企業体２は株式公募、または自己資金による資本を準備し、全国の一般消費者１に対して事業展開を説明し、このシステムへの会員１１を募集する。更に会員１１希望者の中から投資会員１２になる者を募集する。参加を承諾した各会員１１及び各投資会員１２を特定する属性データは図２の会員データベース７０と投資家データベース７１にそれぞれ登録される。
更にこれらシステム会員１１及び投資会員１２とは別に海外からまたは国内の各地より投資のみを目的とする出資会員（エンゼル会員）６も募集でき、参加を承諾した出資会員（エンゼル会員）６の属性データは図２のその他データベース７２に登録される。【００１３】  運営企業体２は、放送内容企画社３と番組調査社４を設定し、各種産業界にこのシステムの趣旨を説明して、各種番組に内組み込む宣伝の広告主５を開拓する。
放送内容企画社３もまた広告主５を開拓可能であり、企画制作社と放送業者８と番組の複製記録物の販売業者９を選定する。なお、これらの指定、選定は運営企業体２が独占的・平行的に行なってもよい。【００１４】  さて、運営企業体２からら依頼を受けた番組調査社４は最近の世論が要求する例えば「石油産業とイスラム教」の番組を提案する。放送内容企画社３は番組調査社４から受けたその趣旨に沿って番組を企画する。これら提案と企画はこのシステムの成功・失敗を左右するので、決定には充分な調査と経験が必要とされる。
放送内容企画社３は各種企業、団体に対して、「石油産業とイスラム教」の番組に広告宣伝ＣＭで参加し、広告主５になってもらうように営業案内する。運営企業体２が受け付けた広告主の名称とその広告料はその他他データベース７２に記録する。
次に放送内容企画社３は運営企業体２と獲得した広告主に、番組内容予定を説明し、予算を受け取り、制作会社７に制作を依頼する。制作会社７は石油産業に関する専門家とイスラム教関する専門家とにそれぞれインタービュウなどしたり、油産国にロケに行ったり、イスラム国家の実情を取材して内容を実のあるものにする。【００１５】  平行して運営企業体２はこのシステム会員１１に対して、番組制作に対して出資を呼びかける、システム会員１１の内所定％の視聴者は投資会員１２となる。更に運営企業体２はシステム会員１１以外の投資専門家の所謂エンゼル資本６にも投資を案内する。
企画がよければこの出資募集には多くの投資家から多額の資金が集められる。投資家の投資額は番組名「石油産業とイスラム教」とその属性とともに基本データベース５６の投資家データベース７１に記録される。
制作会社７が完成した「石油産業とイスラム教」は、図２のコンテンツデーターベース６０のサービス用ソフト６１に登録される。【００１６】  全体制御部５０は電子メールデータベース６５により又は通常放送により光ファイバー５１を介して、全てのシステム会員１１の各調整制御部５３に「石油産業とイスラム教」の案内文と料金のデータを送信する。
各調整制御部５３は各テレビモニター５４に「石油産業とイスラム教」の案内とその料金を表示し、またスピーカ５７に音声を鳴らして各会員に通知する。
各システム会員１１は調整制御部５３の入力キーから、「石油産業とイスラム教」の受信を申し込む。多くのシステム会員１１が同様に申し込むことになる。この申し込み数はこの番組の内容期待感により左右される。【００１７】  このシステムでは基本会員サービスとして、図２の全体制御部５０から各家庭のＡＤＳＬモデム５２、調整制御部５３、テレビモニター５４には約２００チャンネルのケーブルテレビ番組が放送されており、システム会員１１は自由に選局して番組を受信できる。この料金はシステムに参加する加入金と低廉な毎月の基本料金によるものである。
更にこのシステムでは通常のテレビ放送と異なり、ブロードバンドにおけるコンテンツの放送では個々の調整制御部５３５３からの申し込みに従って、時間がばらばらに通信カラオケのリクエスト曲ように各種番組が配信される。
追加の有料番組は、運営企業体２の管理の下に放送業者８により個別に送信（放送）される。この場合この番組は有料番組として予めシステム会員１１には通知されており、関心のある番組に対してのみ、システム会員１１が受信を申し込むことになる。【００１８】  さて、申し込まれ、送信されたシステム会員１１の視聴・受信状況は図２の基本データベース５６の会員データベース７０に記録される。
「石油産業とイスラム教」を個々に鑑賞したシステム会員１１がその感想を話すことで、友人・知人・家庭内で番組に対する評価が行なわれる。
更にこの「石油産業とイスラム教」は放送業者８が、記録媒体のＣＤ−ＲＯＭや磁気テープビデオに多数複写し、販売業者９が書店などで販売する。
なお更にこの番組は他社の放送局やケーブルテレビ等有線放送会社から要請があれば、有料で販売を可能とする。この場合の売上や予約に関しては基本データベース５６のその他データベース７２に記録する。
また更に、放送後システム会員１１の評価が好ければ２、３ヶ月後に基本サービス番組として再放送でき、この場合も基本データベース５６のその他データベース７２に記録する。【００１９】  次に運営企業体２は基本データベース５６の投資家データベース７１とその他データベース７２から広告収入および当該番組の受信料と販売業者９からの販売金額と他社への売上額とを総計し、また投資家の投資金額表を作成する。また運営企業体２はシステム会員１１の視聴率を算出し、番組調査社４と放送内容企画社３に通知する。
また運営企業体２は総計した売上や受信料及び広告料の例えば３０％を自己の売上とし、残りの７０％を投資金額に比例して投資家に配当し、視聴率を通知する。配当結果は投資家データベース７１に記録される。【００２０】  「石油産業とイスラム教」と同様にして、番組調査社４は次に番組「アテネオリンピック」、「これからの駐車場事情」、「世界森林環境」、「中高年に若い若い肌を」等全国の一般消費者１に受け入れられそうな新番組を提案する。
運営企業体２は広告主を得て、番組に対する投資を呼びかけ資金を受け、放送内容企画社３が企画して作成し、コンテンツデータベース６０のサービス用ソフト６１に加えていく。これらの各ソフトも会員１１からリクエストされ配信収入と、広告収入が得られ、複製商品による売上と視聴率がそれぞれ生成されていく。【００２１】  このような一連の番組の提案、企画、広告、投資呼び掛け、資金調達、制作、配信、収益分配のサイクルを繰り返すことで、このシステムの自己発展の動的姿が形成されてくる。これらの番組相互間で売上と視聴率を比較することで、番組への評価が決定される。
売上と視聴率が拡大すると、出資会員（エンゼル会員）６や、投資会員１２の投資額が膨らみ、システム会員１１や一般消費者１が希望する質が高い番組が発生して行く事が期待できる。
通常のテレビ放送では経営者や放送業者の理念や意図で番組が編成され、一般国民の意図とはかけ離れる場合が多々生じている。このシステムでは、運営企業体２以下の関連企業が利益を得るとともに、視聴者と投資家とが共に希望する方向に利用者本位の番組が制作される。
【産業上の利用可能性】
【００２２】  現在普及が拡大しつつあるブロードバンドにおけるコンテンツの放送界に、消費者が希望し有益と思う番組を増やして行き、また有用番組が必要とする比較的高価な番組制作費用を賄い、番組作成に投資する投資家には安心を与えるシステムとして利用できる。
【図面の簡単な説明】
【００２３】
【図１】この発明のこのシステムの機能的構成の全体を示す図である。
【図２】この発明の本発明が実施される装置の基本的な概略構成を示す図である。
【符号の説明】
【００２４】１  一般消費者
２  運営企業体
３  放送内容企画社
４  番組調査社
５  広告主
６  出資会員（エンゼル会員）
８  放送業者
９  販売業者
１１  システム会員
１２  投資会員
５０  全体制御部
５１  光ファイバー
５２  ＡＤＳＬモデム
５３  調整制御部
５４  テレビモニター
５５  パソコン
５６  基本データベース
５７  スピーカ
５８  ハブ
６０  コンテンツデータベース
６１  サービス用ソフト
６２  ゲームソフト
６３  テレビ会議ソフト
６４  インターネットコンテンツ
６５  電子メールデータベース
７０  会員データベース
７１  投資家データベース
７２  その他データベース
【図１】
2006012098.tif 000003
【図２】
2006012098.tif 000004